(57)【要約】【課題】飼育水の水質を向上させることができ、かつ、ランニングコストを低減できる水処理方法および水処理装置を提供する。【解決手段】水処理装置１００は、マイクロナノバブル処理槽７、重力式濾過槽２７および飼育槽循環ポンプ１９を備える。マイクロナノバブル処理槽７は、飼育槽１１から魚２の飼育に使用された飼育水が導入され、飼育槽１からの飼育水にマイクロナノバブルを含有させる。重力式濾過槽２７は、マイクロナノバブル処理槽７からマイクロナノバブルを含有する飼育水が導入され、マイクロナノバブルを含有する飼育水を処理する。飼育槽循環ポンプ１９は飼育水を濾過装置で処理して得る被処理水を飼育槽１に戻す。【選択図】図１
2007152275.tif 000002
【特許請求の範囲】
【請求項１】
生き物の飼育に使用された飼育水にマイクロナノバブルを含有させる工程と、
上記マイクロナノバブルを含有した飼育水を濾過装置に導入して処理する工程と、
上記飼育水を上記濾過装置で処理して得る被処理水を再び飼育水として使用する工程と
を備えたことを特徴とする水処理方法。
【請求項２】
請求項１に記載の水処理方法において、
上記濾過装置は、微生物が繁殖した濾過槽、または、微生物が繁殖していない濾過機であることを特徴とする水処理方法。
【請求項３】
請求項１に記載の水処理方法において、
上記濾過装置は重力式濾過槽または急速式濾過機であることを特徴とする水処理方法。
【請求項４】
請求項１に記載の水処理方法において、
上記濾過装置は、
濾過材としての砂と、
上記砂の支持材としての炭酸カルシウム鉱物と
を有することを特徴とする水処理方法。
【請求項５】
請求項１に記載の水処理方法において、
上記濾過装置は、
濾過材としてのリング状ポリ塩化ビニリデン充填材と、
上記リング状ポリ塩化ビニリデン充填材の支持材としての炭酸カルシウム鉱物と
を有することを特徴とする水処理方法。
【請求項６】
飼育槽から生き物の飼育に使用された飼育水が導入され、上記飼育槽からの飼育水にマイクロナノバブルを含有させるマイクロナノバブル処理槽と、
上記マイクロナノバブル処理槽から上記マイクロナノバブルを含有する飼育水が導入され、上記マイクロナノバブルを含有する上記飼育水を処理する濾過装置と、
上記飼育水を上記濾過装置で処理して得る被処理水を上記飼育槽に戻す飼育槽用ポンプと
を備えたことを特徴とする水処理装置。
【請求項７】
請求項６に記載の水処理装置において、
上記濾過装置は重力式濾過槽または急速式濾過機であることを特徴とする水処理装置。
【請求項８】
請求項６に記載の水処理装置において、
上記濾過装置は、
濾過材としての筒状ポリ塩化ビニリデン充填材と、
上記筒状ポリ塩化ビニリデン充填材の支持材としての炭酸カルシウム鉱物と
を有することを特徴とする水処理装置。
【請求項９】
請求項６に記載の水処理装置において、
上記濾過装置は、
濾過材としての砂と、
上記砂上に配置され、濾過材としてのリング状ポリ塩化ビニリデン充填材と、
上記砂およびリング状ポリ塩化ビニリデン充填材の支持材としての炭酸カルシウム鉱物と
を有することを特徴とする水処理装置。
【請求項１０】
請求項６に記載の水処理装置において、
上記濾過装置は、
濾過材としてのリング状ポリ塩化ビニリデン充填材と、
濾過材としての炭と、
上記リング状ポリ塩化ビニリデン充填材および炭の支持材としての炭酸カルシウム鉱物と
を有することを特徴とする水処理装置。
【請求項１１】
請求項６に記載の水処理装置において、
上記濾過装置は、砂とこの砂上に配置された炭酸カルシウム鉱物とを有する急速式濾過機であることを特徴とする水処理装置。
【請求項１２】
請求項６に記載の水処理装置において、
上記マイクロナノバブル処理槽内に設置され、マイクロナノバブルを発生するマイクロナノバブル発生機と、
上記マイクロナノバブル発生機に飼育水を送るマイクロナノバブル発生機用ポンプと、
上記飼育槽用ポンプおよびマイクロナノバブル発生機用ポンプを間欠運転するためのタイマと
を備えたことを特徴とする水処理装置。
【請求項１３】
請求項６に記載の水処理装置において、
上記飼育水は、海水、汽水および淡水のうちのいずれか１つであることを特徴とする水処理装置。
【請求項１４】
請求項６に記載の水処理装置において、
上記マイクロナノバブル処理槽内に設置され、マイクロナノバブルを発生するマイクロナノバブル発生機と、
上記マイクロナノバブル発生機に供給すべきオゾンを発生するオゾン発生機と
を備えたことを特徴とする水処理装置。
【請求項１５】
請求項１０に記載の水処理装置において、
上記炭は、木炭と活性炭とのうちの一方、または、木炭と活性炭との組み合わせであることを特徴とする水処理装置。
【発明の詳細な説明】
【技術分野】
【０００１】
本発明は、例えば魚類や貝類等の生き物の飼育に使用された飼育水を処理する処理方法および水処理装置に関するものである。
【背景技術】
【０００２】
従来、水族館などでは、一般的に、飼育槽の飼育水を水処理装置としての重力式濾過槽に送って浄化していた。
【０００３】
従来の重力式濾過槽には飼育槽から汚れた飼育水が流入する。この飼育水には生き物から排出されたアンモニア性窒素を含んでおり、このアンモニア性窒素は濾過槽内の微生物によって酸化処理される。
【０００４】
上記微生物は濾過槽において主として用いられる濾材の砂に繁殖させてる。亜硝酸生成菌や硝酸生成菌などの微生物を砂に繁殖させるためには、濾過槽の容積を大きくする必要があった。
【０００５】
また、上記亜硝酸生成菌や硝酸生成菌を常に繁殖させるためには、飼育槽および濾過槽を経由するように、飼育水を１日２４時間連続して循環させて、濾過槽に繁殖している亜硝酸生成菌や硝酸生成菌などの好気性の微生物に酸素を供給する必要があった。
【０００６】
したがって、上記従来の重力式濾過槽では、飼育水を浄化するための電力使用量が多くなり、電気代がかかるという問題が生じていた。つまり、上記従来の重力式濾過槽はランニングコストが高いという問題があった。
【特許文献１】特開２００２−０２７８６３号公報
【発明の開示】
【発明が解決しようとする課題】
【０００７】
そこで、本発明の課題は、飼育水の水質を向上させることができ、かつ、ランニングコストを低減できる水処理方法および水処理装置を提供することにある。
【課題を解決するための手段】
【０００８】
上記課題を解決するため、本発明の水処理方法は、
生き物の飼育に使用された飼育水にマイクロナノバブルを含有させる工程と、
上記マイクロナノバブルを含有した飼育水を濾過装置に導入して処理する工程と、
上記飼育水を上記濾過装置で処理して得る被処理水を再び飼育水として使用する工程と
を備えたことを特徴としている。
【０００９】
上記構成の水処理方法によれば、上記マイクロナノバブルを含有した飼育水を濾過装置に導入することによって、マイクロナノバブルが飼育水中に長く存在するから、濾過装置内の好気性としての溶存酸素濃度が高く維持されて、濾過装置内で微生物が活性化して繁殖する。又、マイクロナノバブルは微生物の細胞レベルまで影響して微生物を活性化すると言われている。
【００１０】
したがって、上記飼育水が微生物で十分に酸化処理されるので、飼育水の水質を向上させることができる。
【００１１】
また、上記濾過装置内の好気性としての溶存酸素濃度が高く維持されるので、濾過装置を２４時間連続で稼働しなくてもよい。
【００１２】
したがって、上記濾過装置を間欠的に稼働させて、ランニングコストを低減することができる。
【００１３】
また、上記濾過装置において飼育水にマイクロナノバブルを含有させるよりも、濾過装置外において飼育水にマイクロナノバブルを含有させる方が、マイクロナノバブルの発生状態の確認が容易である。
【００１４】
したがって、上記濾過装置外においてマイクロナノバブルの発生状態を確認して、微生物を有効的かつ効率的に活性化させることができる。
【００１５】
一実施形態の水処理方法では、
上記濾過装置は、微生物が繁殖した濾過槽、または、微生物が繁殖していない濾過機である。
【００１６】
上記実施形態の水処理方法によれば、上記濾過装置は微生物が繁殖した濾過槽である場合、マイクロナノバブルを含有した飼育水が濾過槽に導入されて、濾過槽に繁殖した微生物をさらに繁殖させることができると共に、その微生物を活性化させることができる。
【００１７】
また、上記濾過装置は微生物が繁殖していない濾過機である場合、マイクロナノバブルを含有した飼育水が濾過機に導入されて、濾過機内の好気性が維持されて、活性化した微生物を濾過機で繁殖させることができる。
【００１８】
一実施形態の水処理方法では、
上記濾過装置は重力式濾過槽または急速式濾過機である。
【００１９】
上記実施形態の水処理方法によれば、上記濾過装置が重力式濾過槽である場合、重力式濾過槽に繁殖している微生物を活性化させてさらに繁殖させることができる。
【００２０】
また、上記濾過装置が急速式濾過機である場合、マイクロナノバブルを含有した飼育水が急速式濾過機に導入されて、急速式濾過機内の好気性が維持されて、活性化した微生物が急速式濾過機で繁殖する。
【００２１】
したがって、本来物理的な濾過機能のみ持つ急速式濾過機に微生物処理機能を追加することができる。
【００２２】
一実施形態の水処理方法では、
上記濾過装置は、
濾過材としての砂と、
上記砂の支持材としての炭酸カルシウム鉱物と
を有する。
【００２３】
上記実施形態の水処理方法によれば、上記濾過装置が砂を有するから、活性化した微生物を砂に繁殖させることができる。
【００２４】
また、上記微生物の酸化処理によって被処理水のpＨが低下しても、濾過装置が炭酸カルシウム鉱物を有するから、被処理水の酸の力で炭酸カルシウム鉱物が溶解し、被処理水のｐＨを調整することができる。すなわち、酸性化した被処理水を炭酸カルシウム鉱物で中和することができる。
【００２５】
一実施形態の水処理方法では、
上記濾過装置は、
濾過材としてのリング状ポリ塩化ビニリデン充填材と、
上記リング状ポリ塩化ビニリデン充填材の支持材としての炭酸カルシウム鉱物と
を有する。
【００２６】
上記実施形態の水処理方法によれば、上記濾過装置はリング状ポリ塩化ビニリデン充填材を有するから、リング状ポリ塩化ビニリデン充填材によって活性化した微生物を高濃度に維持できる。
【００２７】
また、上記微生物の酸化処理によって被処理水のpＨが低下しても、濾過装置が炭酸カルシウム鉱物を有するから、被処理水の酸の力で炭酸カルシウム鉱物が溶解し、被処理水のｐＨを調整することができる。すなわち、酸性化した被処理水を炭酸カルシウム鉱物で中和することができる。
【００２８】
本発明の水処理装置は、
飼育槽から生き物の飼育に使用された飼育水が導入され、上記飼育槽からの飼育水にマイクロナノバブルを含有させるマイクロナノバブル処理槽と、
上記マイクロナノバブル処理槽から上記マイクロナノバブルを含有する飼育水が導入され、上記マイクロナノバブルを含有する上記飼育水を処理する濾過装置と、
上記飼育水を上記濾過装置で処理して得る被処理水を上記飼育槽に戻す飼育槽用ポンプと
を備えたことを特徴としている。
【００２９】
上記構成の水処理装置によれば、上記マイクロナノバブル処理槽からのマイクロナノバブルを含有した飼育水を濾過装置に導入することによって、マイクロナノバブルが飼育水中に長く存在するから、濾過装置内の好気性が維持されて、濾過装置内で微生物が活性化して繁殖する。
【００３０】
したがって、上記飼育水が微生物で十分に酸化処理されるので、飼育水の水質を向上させることができる。
【００３１】
また、上記濾過装置内の好気性が維持されるので、濾過装置を２４時間連続で稼働しなくてもよい。
【００３２】
したがって、上記濾過装置を間欠的に稼働させて、ランニングコストを低減することができる。
【００３３】
また、上記濾過装置において飼育水にマイクロナノバブルを含有させるよりも、マイクロナノバブル処理槽において飼育水にマイクロナノバブルを含有させる方が、マイクロナノバブルの発生状態の確認が容易である。
【００３４】
したがって、上記マイクロナノバブル処理槽においてマイクロナノバブルの発生状態を確認して、微生物を有効的かつ効率的に活性化させることができる。
【００３５】
一実施形態の水処理装置では、
上記濾過装置は重力式濾過槽または急速式濾過機である。
【００３６】
上記実施形態の水処理装置によれば、上記濾過装置が重力式濾過槽である場合、重力式濾過槽に繁殖している微生物を活性化させてさらに繁殖させることができる。
【００３７】
また、上記濾過装置が急速式濾過機である場合、マイクロナノバブルを含有した飼育水が急速式濾過機に導入されて、急速式濾過機内の好気性が維持されて、活性化した微生物が急速式濾過機で繁殖する。
【００３８】
したがって、本来物理的な濾過機能のみ持つ急速式濾過機に微生物処理機能を追加することができる。
【００３９】
一実施形態の水処理装置では、
上記濾過装置は、
濾過材としての筒状ポリ塩化ビニリデン充填材と、
上記筒状ポリ塩化ビニリデン充填材の支持材としての炭酸カルシウム鉱物と
を有する。
【００４０】
上記実施形態の水処理装置によれば、上記濾過装置は筒状ポリ塩化ビニリデン充填材を有するから、筒状ポリ塩化ビニリデン充填材によって活性化した微生物を高濃度に維持できる。
【００４１】
また、上記微生物の酸化処理によって被処理水のpＨが低下しても、濾過装置が炭酸カルシウム鉱物を有するから、被処理水の酸の力で炭酸カルシウム鉱物が溶解し、被処理水のｐＨを調整することができる。すなわち、酸性化した被処理水を炭酸カルシウム鉱物で中和することができる。
【００４２】
一実施形態の水処理装置では、
上記濾過装置は、
濾過材としての砂と、
上記砂上に配置され、濾過材としてのリング状ポリ塩化ビニリデン充填材と、
上記砂およびリング状ポリ塩化ビニリデン充填材の支持材としての炭酸カルシウム鉱物と
を有する。
【００４３】
上記実施形態の水処理装置によれば、上記濾過装置が砂およびリング状ポリ塩化ビニリデン充填材を有するから、活性化した微生物を砂およびリング状ポリ塩化ビニリデン充填材に繁殖させることができる。
【００４４】
また、上記リング状ポリ塩化ビニリデン充填材が砂上に配置されているから、砂が魚の糞などの有機物によって詰まることを防ぐための前処理をリング状ポリ塩化ビニリデン充填材で行うことができる。
【００４５】
すなわち、上記リング状ポリ塩化ビニリデン充填材によって、砂の閉塞現象を激減させることができる。
【００４６】
また、上記微生物の酸化処理によって被処理水のpＨが低下しても、濾過装置が炭酸カルシウム鉱物を有するから、被処理水の酸の力で炭酸カルシウム鉱物が溶解し、被処理水のｐＨを調整することができる。すなわち、酸性化した被処理水を炭酸カルシウム鉱物で中和することができる。
【００４７】
一実施形態の水処理装置では、
上記濾過装置は、
濾過材としてのリング状ポリ塩化ビニリデン充填材と、
濾過材としての炭と、
上記リング状ポリ塩化ビニリデン充填材および炭の支持材としての炭酸カルシウム鉱物と
を有する。
【００４８】
上記実施形態の水処理装置によれば、上記濾過装置がリング状ポリ塩化ビニリデン充填材を有するから、活性化した微生物をリング状ポリ塩化ビニリデン充填材に繁殖させることができる。
【００４９】
また、上記濾過装置が炭を有するから、この炭が微生物の固定化担体となり、微生物処理が安定化する効果がある。
【００５０】
また、上記炭は着色成分に対する吸着能力があるから、被処理水中の着色成分を炭に吸着させ、炭に繁殖した微生物で分解することができる。
【００５１】
また、上記微生物の酸化処理によって被処理水のpＨが低下しても、濾過装置が炭酸カルシウム鉱物を有するから、被処理水の酸の力で炭酸カルシウム鉱物が溶解し、被処理水のｐＨを調整することができる。すなわち、酸性化した被処理水を炭酸カルシウム鉱物で中和することができる。
【００５２】
一実施形態の水処理装置では、
上記濾過装置は、砂とこの砂上に配置された炭酸カルシウム鉱物とを有する急速式濾過機である。
【００５３】
上記実施形態の水処理装置によれば、上記急速式濾過機にはマイクロナノバブルを含有した飼育水が導入されて、急速式濾過機内の好気性が維持されて、活性化した微生物が急速式濾過機で繁殖するから、本来物理的な濾過機能のみ持つ急速式濾過機に微生物処理機能を追加することができる。
【００５４】
また、上記急速式濾過機が砂を有するから、活性化した微生物を砂に繁殖させることができる。
【００５５】
また、上記微生物の酸化処理によって被処理水のpＨが低下しても、急速式濾過機が炭酸カルシウム鉱物を有するから、被処理水の酸の力で炭酸カルシウム鉱物が溶解し、被処理水のｐＨを調整することができる。すなわち、酸性化した被処理水を炭酸カルシウム鉱物で中和することができる。
【００５６】
また、上記被処理水のｐＨを調整する炭酸カルシウム鉱物が砂上に配置されているから、ｐＨ調整後の被処理水が砂に導入される。
【００５７】
したがって、上記砂には活性化した微生物が繁殖しているから、ｐＨ調整後の被処理水に対して生物学的な処理と物理的な処理とを行うことができる。
【００５８】
一実施形態の水処理装置では、
上記マイクロナノバブル処理槽内に設置され、マイクロナノバブルを発生するマイクロナノバブル発生機と、
上記マイクロナノバブル発生機に飼育水を送るマイクロナノバブル発生機用ポンプと、
上記飼育槽用ポンプおよびマイクロナノバブル発生機用ポンプを間欠運転するためのタイマと
を備える。
【００５９】
上記実施形態の水処理装置によれば、上記タイマによって飼育槽用ポンプおよびマイクロナノバブル発生機用ポンプを間欠運転させることにより、省エネの効果が得られる。
【００６０】
一実施形態の水処理装置では、
上記飼育水は、海水、汽水および淡水のうちのいずれか１つである。
【００６１】
上記実施形態の水処理装置によれば、上記飼育水は、海水、汽水および淡水のうちのいずれか１つであるから、種々様々な生き物を飼育水で飼育することができる。
【００６２】
一実施形態の水処理装置では、
上記マイクロナノバブル処理槽内に設置され、マイクロナノバブルを発生するマイクロナノバブル発生機と、
上記マイクロナノバブル発生機に供給すべきオゾンを発生するオゾン発生機と
を備える。
【００６３】
上記実施形態の水処理装置によれば、上記マイクロナノバブル発生機にはオゾン発生機からオゾンが供給されるので、マイクロナノバブル発生機は強力な酸化力を持つオゾンマイクロナノバブルを発生することができる。
【００６４】
したがって、上記オゾンマイクロナノバブルを飼育水に含有させることにより、飼育水中の有機物をオゾンが持つ強力な酸化作用で分解することができる。つまり、上記オゾンが持つ殺菌作用によって飼育水を殺菌することができる。
【００６５】
一実施形態の水処理装置では、
上記炭は、木炭と活性炭とのうちの一方、または、木炭と活性炭との組み合わせである。
【００６６】
上記実施形態の水処理装置によれば、上記木炭および活性炭は市販されていているから、容易に調達することができる。
【発明の効果】
【００６７】
本発明の水処理方法によれば、マイクロナノバブルを含有した飼育水を濾過装置に導入することによって、マイクロナノバブルが飼育水中に長く存在するから、濾過装置内の好気性が維持されて、濾過装置内で微生物が活性化して繁殖する。
【００６８】
したがって、上記飼育水が微生物で十分に酸化処理されるので、飼育水の水質を向上させることができる。
【００６９】
また、上記濾過装置内の好気性が維持されるので、濾過装置を２４時間連続で稼働しなくてもよい。
【００７０】
したがって、上記濾過装置を間欠的に稼働させて、ランニングコストを低減することができる。
【００７１】
本発明の水処理装置によれば、マイクロナノバブル処理槽からのマイクロナノバブルを含有した飼育水を濾過装置に導入することによって、マイクロナノバブルが飼育水中に長く存在するから、濾過装置内の好気性が維持されて、濾過装置内で微生物が活性化して繁殖する。
【００７２】
したがって、上記飼育水が微生物で十分に酸化処理されるので、飼育水の水質を向上させることができる。
【００７３】
また、上記濾過装置内の好気性が維持されるので、濾過装置を２４時間連続で稼働しなくてもよい。
【００７４】
したがって、上記濾過装置を間欠的に稼働させて、ランニングコストを低減することができる。
【発明を実施するための最良の形態】
【００７５】
以下、本発明の水処理方法および水処理装置を図示の実施の形態により詳細に説明する。
【００７６】
（第１実施形態）
図１に、本発明の第１実施形態の水処理装置１００を模式的に示す。
【００７７】
上記水処理装置１００は、水族館の飼育槽１内の飼育水を浄化するために、マイクロナノバブル処理槽７と、濾過装置の一例としての重力式濾過槽２７と、飼育槽用ポンプの一例としての飼育槽循環ポンプ１９とを備えている。
【００７８】
上記飼育槽１内の飼育水は、通常、マイクロナノバブル処理槽７および重力式濾過槽２７を経由して循環する。
【００７９】
上記飼育槽１においては、生き物の一例としての海水魚や淡水魚等の魚２が飼育される。そして、海水、汽水および淡水のうちのいずれか１つの水が、流入配管５を流れて飼育槽１に流入して魚２の飼育水となる。
【００８０】
上記流入配管５から飼育槽１へは、常時、水が流入するのではなく、飼育槽１内の飼育水が蒸発などにより減った時に水が追加される。
【００８１】
上記飼育槽１内の水位がオーバーフロー管３の上端より高くなると、飼育槽１内の飼育水がオーバーフロー管３内に流入する。そして、上記飼育水は、オーバーフロー管３内とオーバーフロー配管６内とを流れた後、マイクロナノバブル処理槽７に導入される。このとき、マイクロナノバブル処理槽７内に流入する飼育水、つまり、使用後の飼育水は、魚２からのアンモニア性窒素を含んでいる。
【００８２】
上記マイクロナノバブル処理槽７は、飼育槽１からの飼育水にマイクロナノバブルを含有させる。このため、マイクロナノバブル処理槽７内には、マイクロナノバブルを発生するマイクロナノバブル発生機１０が設置されている。
【００８３】
ここで、上記マイクロナノバブルを説明するために、３種類のバブルについて説明する。
【００８４】
（ｉ）  通常のバブル(気泡)は水の中を上昇して、ついには表面でパンとはじけて消滅する。
【００８５】
（ii）  マイクロバブルは、直径が５０ミクロン（μｍ）以下の微細気泡で、水中で時間の経過に伴って縮小していき、最後には消滅（完全溶解）してしまう。
【００８６】
（iii）  ナノバブルは、マイクロバブルよりさらに小さいバブルで直径が１ミクロン以下、例えば１００ｎｍ〜２００ｎｍでいつまでも水の中に存在することが可能なバブルと言われている。
【００８７】
このようなマイクロバブルとナノバブルとを混合して得られるバブルが、マイクロナノバブルと説明することができる。
【００８８】
上記マイクロナノバブル発生機１０には空気吸込配管８が接続されており、マイクロナノバブル発生機１０の空気吸込量をバルブ９で調整するようになっている。また、マイクロナノバブル発生機１０には、マイクロナノバブル処理槽７外に設置された発生機循環ポンプ１３が接続されている。この発生機循環ポンプ１３はマイクロナノバブル処理槽７内の飼育水をマイクロナノバブル発生機１０に送る。そして、マイクロナノバブル発生機１０は、空気吸込配管８からの空気を吸い込んでマイクロナノバブルを発生して、このマイクロナノバブルを発生機循環ポンプ１３からの飼育水と共に吐出する。これにより、マイクロナノバブル処理槽７内においてマイクロナノバブル流が発生する。なお、発生機循環ポンプ１３はマイクロナノバブル発生機用ポンプの一例である。
【００８９】
上記マイクロナノバブル処理槽７でマイクロナノバブルを含有した飼育水は、重力式濾過槽２７に導入される。そして、マイクロナノバブル処理槽７からのマイクロナノバブルを含有した飼育水は重力式濾過槽２７で処理されて被処理水となる。
【００９０】
上記重力式濾過槽２７は、下部が網１８となっている濾過部１５を有している。網１８上には、砂１６に対する支持材としての炭酸カルシウム鉱物１７が複数配置されている。
【００９１】
上記炭酸カルシウム鉱物１７は、上記被処理水のpＨが低下したときに中和作用を奏する。
【００９２】
上記砂１６には、亜硝酸生成菌や硝酸生成菌などの微生物が繁殖する。また、砂１６は、濾過材としての機能も果たし、上記被処理水中の浮遊物質の濾過を行って、上記被処理水の透明度向上に役立つ。なお、亜硝酸生成菌の具体的名称はNitorosomonas（ニトロソモナス）であり、硝酸生成菌の具体的名称はNitobactor（ニトロバクター）である。
【００９３】
上記重力式濾過槽２７で処理された被処理水は、飼育槽循環ポンプ１９によって、循環配管４内を介して飼育槽１に再び導入されることとなる。
【００９４】
上記発生機循環ポンプ１３および飼育槽循環ポンプ１９の運転は、タイマー１４によって間欠運転とされる。このように、タイマー１４は発生機循環ポンプ１３および飼育槽循環ポンプ１９の稼働を制御することができる。
【００９５】
上記構成の水処理装置１００によれば、マイクロナノバブル処理槽７からのマイクロナノバブルを含有した飼育水を重力式濾過槽２７に導入することによって、マイクロナノバブルが飼育水中に長く存在するから、重力式濾過槽２７内の好気性が維持されて、砂１６に繁殖した亜硝酸生成菌や硝酸生成菌などの微生物が活性化してさらに繁殖する。
【００９６】
その結果、上記重力式濾過槽２７のアンモニア性窒素に対する生物学的処理能力が向上する。
【００９７】
したがって、上記微生物で十分に酸化処理された被処理水が飼育槽１に戻るので、飼育槽１内の飼育水の水質を向上させることができると共に、飼育槽１内の飼育水の透明度を高く維持できる。
【００９８】
また、上記発生機循環ポンプ１３および飼育槽循環ポンプ１９の運転が間欠運転であるから、ランニングコストを低減することができる。
【００９９】
また、上記発生機循環ポンプ１３および飼育槽循環ポンプ１９の運転が間欠運転であっても、重力式濾過槽２７のアンモニア性窒素に対する生物学的処理能力が向上するから、飼育槽１内の飼育水の水質の低下や、飼育槽１内の飼育水の透明度の低下を防ぐことができる。
【０１００】
また、上記重力式濾過槽２７において飼育水にマイクロナノバブルを含有させるよりも、マイクロナノバブル処理槽７において飼育水にマイクロナノバブルを含有させる方が、マイクロナノバブルの発生状態の確認が容易である。
【０１０１】
したがって、上記重力式濾過槽２７へ良好なマイクロナノバブルを含有する飼育水を供給して、重力式濾過槽２７内の微生物を有効的かつ効率的に活性化させることができる。
【０１０２】
また、上記重力式濾過槽２７のアンモニア性窒素に対する生物学的処理能力が向上するから、発生機循環ポンプ１３および飼育槽循環ポンプ１９を間欠運転にしても、発生機循環ポンプ１３および飼育槽循環ポンプ１９を２４時間連続運転とする場合と同じ浄化性能を得ることができる。
【０１０３】
尚、上記マイクロナノバブル発生機１０は、市販されているものならば、メーカーを限定するものではなく、例えば、株式会社ナノプラネット研究所、株式会社オーラテック、西華産業株式会社および資源開発株式会社等のマイクロナノバブル発生機であってもよい。
【０１０４】
上記実施形態１では、株式会社ナノプラネット研究所のものをマイクロナノバブル発生機９として採用したが、どのメーカのものを採用するかは目的に応じて決めればよい。
【０１０５】
（第２実施形態）
図２に、本発明の第２実施形態の水処理装置２００を模式的に示す。また、図２において、図１に示した第１実施形態の水処理装置１００と同一の構成部は、図１における構成部と同一参照番号を付して説明を省略する。
【０１０６】
上記水処理装置２００は、上記第１実施形態の水処理装置１００と比較して、濾過部１５内にリング状ポリ塩化ビニリデン充填材２０を設置している点が異なる。
【０１０７】
つまり、本第２実施形態は、上記第１実施形態において濾過部１５内の砂１６を複数のリング状ポリ塩化ビニリデン充填材２０に置き換えたものである。
【０１０８】
上記リング状ポリ塩化ビニリデン充填材２０は砂１６と同様に濾過材としての機能を有するが、リング状ポリ塩化ビニリデン充填材２０の表面積は砂１６の表面積よりも格段に大きい。
【０１０９】
上記構成の水処理装置２００によれば、リング状ポリ塩化ビニリデン充填材２０には、マイクロナノバブルによって活性化した亜硝酸生成菌や硝酸生成菌などの微生物が安定的に、かつ、砂１６よりも高濃度に繁殖する。
【０１１０】
したがって、上記重力式濾過槽２７のアンモニア性窒素の酸化処理能力が向上する。
【０１１１】
また、上記リング状ポリ塩化ビニリデン充填材２０は、マイナスの電荷を有しているので、浮遊物質に対する付着処理能力があり、浮遊物質の処理にも有効である。
【０１１２】
（第３実施形態）
図３に、本発明の第３実施形態の水処理装置３００を模式的に示す。また、図３において、図２に示した第２実施形態の水処理装置２００と同一の構成部は、図２における構成部と同一参照番号を付して説明を省略する。
【０１１３】
上記水処理装置３００は、上記第２実施形態の水処理装置２００と比較して、濾過部１５内に筒状ポリ塩化ビニリデン充填材２１を設置している点が異なる。
【０１１４】
つまり、本第３実施形態は、上記第２実施形態において濾過部１５内の複数のリング状ポリ塩化ビニリデン充填材２０を複数の筒状ポリ塩化ビニリデン充填材２１に置き換えたものである。
【０１１５】
上記リング状ポリ塩化ビニリデン充填材２０と筒状ポリ塩化ビニリデン充填材２１は略同じ性能を有している。
【０１１６】
上記リング状ポリ塩化ビニリデン充填材２０は、そのまま、濾過部１５に投入すればよいが、筒状ポリ塩化ビニリデン充填材２１は固定するための金具が必要となる。
【０１１７】
上記リング状ポリ塩化ビニリデン充填材２０と筒状ポリ塩化ビニリデン充填材２１は、共にティビーアール株式会社から販売されている。
【０１１８】
（第４実施形態）
図４に、本発明の第４実施形態の水処理装置４００を模式的に示す。また、図４において、図１に示した第１実施形態の水処理装置１００と同一の構成部は、図１における構成部と同一参照番号を付して説明を省略する。
【０１１９】
上記水処理装置４００は、上記第１実施形態の水処理装置１００と比較して、砂１６およびリング状ポリ塩化ビニリデン充填材２０を濾過部１５内に設置している点が異なる。
【０１２０】
つまり、上記第１実施形態では砂１６だけを濾過材として濾過部１５内に設置しているが、本第４実施形態では砂１６およびリング状ポリ塩化ビニリデン充填材２０を濾過材として濾過部１５内に設置している。
【０１２１】
また、本第４実施形態では、砂１６は濾過部１５の下部側（網１８側）に位置する一方、リング状ポリ塩化ビニリデン充填材２０は濾過部１５の上部側（網１８側とは反対側）に位置する。
【０１２２】
上記第１実施形態のように濾過材が砂１６だけの場合は、砂１６で構成される層の表面に被処理水中の浮遊物質が付着して、濾過材としての砂１６が閉塞する欠点がある。
【０１２３】
これに対して、本第４実施形態のように濾過材が砂１６とリング状ポリ塩化ビニリデン充填材２０とからなる場合は、被処理水中の浮遊物質をリング状ポリ塩化ビニリデン充填材２０が付着するから、濾過材としての砂１６が閉塞するのを防ぐことができる。
【０１２４】
したがって、本第４実施形態の水処理装置４００は、上記第１実施形態の水処理装置１００よりも、飼育槽１内の飼育水の透明度を維持する効果を高めることができる。
【０１２５】
また、本第４実施形態では、リング状ポリ塩化ビニリデン充填材２０には活性化した微生物が繁殖するから、リング状ポリ塩化ビニリデン充填材２０に付着した浮遊物質が残餌などの有機物であると、リング状ポリ塩化ビニリデン充填材２０に付着した浮遊物質を微生物で分解することができる。
【０１２６】
したがって、上記砂１６に対する負荷を軽減することができる。
【０１２７】
（第５実施形態）
図５に、本発明の第５実施形態の水処理装置５００を模式的に示す。また、図５において、図２に示した第２実施形態の水処理装置２００と同一の構成部は、図２における構成部と同一参照番号を付して説明を省略する。
【０１２８】
上記水処理装置５００は、上記第２実施形態の水処理装置２００と比較して、リング状ポリ塩化ビニリデン充填材２０および炭２８を濾過部１５内に設置している点が異なる。
【０１２９】
つまり、本第５実施形態は、上記第２実施形態においてリング状ポリ塩化ビニリデン充填材２０をリング状ポリ塩化ビニリデン充填材２０および炭２８に置き換えたものである。
【０１３０】
上記構成の水処理装置５００によれば、炭２８が着色成分に対する吸着能力があるので、被処理水中の着色成分は炭２８に吸着された後、炭に繁殖した微生物で分解されることとなる。
【０１３１】
上記マイクロナノバブル処理槽７からの飼育水が含有するマイクロナノバブルは、炭２８に繁殖する微生物を活性化させるのに適している。
【０１３２】
上記炭２８の具体例としては備長炭や活性炭等がある。
【０１３３】
また、上記炭２８は、木炭と活性炭とのうちの一方、または、木炭と活性炭との組み合わせであってもよい。
【０１３４】
（第６実施形態）
図６に、本発明の第６実施形態の水処理装置６００を模式的に示す。また、図６において、図１に示した第１実施形態の水処理装置１００と同一の構成部は、図１における構成部と同一参照番号を付して説明を省略する。
【０１３５】
上記水処理装置６００は、上記第１実施形態の水処理装置１００と比較して、重力式濾過槽２７が無く、ポンプ２２と、濾過装置の一例としての急速式濾過機２３と、ピット２４と、飼育槽用ポンプの一例としての飼育水循環ポンプ２５とを備えている点が異なる。
【０１３６】
上記ポンプ２２は、マイクロナノバブル処理槽７でマイクロナノバブルを含有させた飼育水を急速式濾過機２３へ送る。
【０１３７】
上記飼育水循環ポンプ２５は、マイクロナノバブル処理槽７からのマイクロナノバブルを含有する飼育水を急速式濾過機２３で処理して得る被処理水を飼育槽１へ送る。
【０１３８】
上記構成の水処理装置６００によれば、急速式濾過機２３は、本来物理的な濾過のみを目的とするものであるが、マイクロナノバブル処理槽７からのマイクロナノバブルを含有した飼育水がポンプ２２によって導入されるので、急速式濾過機２３の内部がマイクロナノバブルの水中に継続的に長時間維持される現象によって好気性となり、亜硝酸生成菌や硝酸生成菌等の好気性微生物が急速式濾過機２３の内部で繁殖する。
【０１３９】
したがって、上記急速式濾過機２３は、本来の物理的な濾過機能を奏するだけでなく、上記好気性微生物による微生物処理機能を奏する。
【０１４０】
（第７実施形態）
図７に、本発明の第７実施形態の水処理装置７００を模式的に示す。また、図７において、図６に示した第６実施形態の水処理装置６００と同一の構成部は、図６における構成部と同一参照番号を付して説明を省略する。
【０１４１】
上記水処理装置７００は、上記第６実施形態の水処理装置６００と比較して、オゾン発生機２６を備えている点が異なる。
【０１４２】
つまり、本第７実施形態は、上記第６実施形態においてオゾン発生機２６を追加したものである。
【０１４３】
上記オゾン発生機２６は、空気吸込配管８のマイクロナノバブル発生機１０側の端部とは反対側の端部に接続されている。
【０１４４】
上記構成の水処理装置７００によれば、マイクロナノバブル発生機１０はオゾン発生機２６からオゾンが供給されるので、通常のマイクロナノバブルよりも酸化力が強いオゾンマイクロナノバブルを発生することができる。
【０１４５】
したがって、上記オゾンマイクロナノバブルが飼育水に含有するから、飼育水中の有機物をオゾンマイクロナノバブルが持つ強力な酸化作用で分解することができる。つまり、上記オゾンマイクロナノバブルが持つ殺菌作用によって飼育水を殺菌することができる。
【０１４６】
また、上記オゾンマイクロナノバブルの強力な酸化力により酸化分解された飼育水はポンプ２２によって急速式濾過機２３に導入されて濾過される。
【０１４７】
この場合、急速式濾過機２３内には、オゾンマイクロナノバブルの酸化力が強力なため、好気性微生物の繁殖は期待できない。
【０１４８】
但し、飼育水が長く循環していると黄色に着色されるが、飼育水が黄色に着色されないようにするには有効である。
【０１４９】
（第８実施形態）
図８に、本発明の第８実施形態の水処理装置８００を模式的に示す。また、図８において、図７に示した第７実施形態の水処理装置７００と同一の構成部は、図７における構成部と同一参照番号を付して説明を省略する。
【０１５０】
上記水処理装置８００は、上記第７実施形態の水処理装置７００と比較して、砂１６および炭酸カルシウム鉱物１７が急速式濾過機２３内に設置されている点が異なる。
【０１５１】
上記炭酸カルシウム鉱物１７は、砂１６上に位置して、ｐＨ調整材としての機能を奏する。
【０１５２】
上記構成の水処理装置８００によれば、マイクロナノバブル処理槽７からのオゾンマイクロナノバブルを含有した飼育水がポンプ２２によって急速式濾過機２３に導入されるので、急速式濾過機２３の内部がマイクロナノバブルの水中に継続的に長時間維持される現象によって好気性となり、亜硝酸生成菌や硝酸生成菌等の好気性微生物が急速式濾過機２３の内部で繁殖する。
【０１５３】
したがって、上記急速式濾過機２３は、本来の物理的な濾過機能を奏するだけでなく、上記好気性微生物による微生物処理機能を奏する。
【０１５４】
また、上記好気性微生物の酸化処理によって被処理水のｐＨが低下しても、急速式濾過機２３内に炭酸カルシウム鉱物１７を設置しているから、被処理水の酸の力で炭酸カルシウム鉱物１７が溶解し、被処理水のｐＨを調整することができる。
【０１５５】
また、上記急速式濾過機２３内に砂１６を設置しているから、上記好気性微生物を砂１６にも繁殖させて、急速式濾過機１３内の好気性微生物をさらに増やすことができる。
【０１５６】
（第９実施形態）
図９に、本発明の第９実施形態の水処理装置９００を模式的に示す。また、図９において、図１に示した第１実施形態の水処理装置１００と同一の構成部は、図１における構成部と同一参照番号を付して説明を省略する。
【０１５７】
上記水処理装置９００は、上記第１実施形態の水処理装置１００と比べて、発生機循環ポンプ１３および飼育槽循環ポンプ１９の稼働を制御するタイマー１４を備えていない点が異なる。
【０１５８】
上記構成の水処理装置９００によれば、発生機循環ポンプ１３および飼育槽循環ポンプ１９の運転を２４時間連続運転とするので、重力式濾過槽２７の微生物処理能力は向上する。
【０１５９】
したがって、上記水処理装置６００は、上記第１実施形態よりも、飼育槽１内の飼育水の水質を向上させることができると共に、飼育槽１内の飼育水の透明度を高めることができる。
【０１６０】
また、上記重力式濾過槽２７の微生物処理能力は向上するので、飼育水の循環量を少なくしても、上記第１実施形態と同程度の飼育水の水質向上効果および透明度維持効果は得られる。
【０１６１】
したがって、上記飼育水の循環量を少なくして、ランニングコストを低減することができる。
【０１６２】
また、上記重力式濾過槽２７の微生物処理能力は向上するので、多量の魚２を飼育槽１で飼育することができる。
【０１６３】
（実験例）
上記第１実施形態の水処理装置１００に対応する実験装置を製作した。この実験装置では、飼育槽１の容量を１０００リットル、マイクロナノバブル処理槽７の容量を１５０リットル、重力式濾過槽２７の容量３００リットルとした。
【０１６４】
上記実験装置を１ヶ月間試運転を行った後、海水魚を飼育槽１に入れて、７日後、飼育槽１内の飼育水がアンモニア性窒素を測定したところ、０．１ｐｐｍであった。
【０１６５】
従来のマイクロナノバブルが設置されていない水槽と比較したところ、水質的には、このマイクロナノバブル処理槽７がある実験装置が最も水質が良かった。
【図面の簡単な説明】
【０１６６】
【図１】図１は本発明の第１実施形態の水処理装置の模式図である。
【図２】図２は本発明の第２実施形態の水処理装置の模式図である。
【図３】図３は本発明の第３実施形態の水処理装置の模式図である。
【図４】図４は本発明の第４実施形態の水処理装置の模式図である。
【図５】図５は本発明の第５実施形態の水処理装置の模式図である。
【図６】図６は本発明の第６実施形態の水処理装置の模式図である。
【図７】図７は本発明の第７実施形態の水処理装置の模式図である。
【図８】図８は本発明の第８実施形態の水処理装置の模式図である。
【図９】図９は本発明の第９実施形態の水処理装置の模式図である。
【符号の説明】
【０１６７】
１  飼育槽
２  魚
３  オーバーフロー管
４  循環配管
５  流入配管
６  オーバーフロー配管
７  マイクロナノバブル処理槽
８  空気吸込配管
９  バルブ
１０  マイクロナノバブル発生機
１１  マイクロナノバブル流
１２  発生機循環配管
１３  発生機循環ポンプ
１４  タイマー
１５  濾過部
１６  砂
１７  炭酸カルシウム鉱物
１８  網
１９  飼育槽循環ポンプ
２０  リング状ポリ塩化ビニリデン充填材
２１  筒状ポリ塩化ビニリデン充填物
２２  ポンプ
２３  急速式濾過機
２４  ピット
２５  飼育水循環ポンプ
２６  オゾン発生機
２７  重力式濾過槽
２８  炭
１００，２００，３００，４００，５００，６００，７００，８００，９００  水処理装置
【図１】
2007152275.tif 000003
【図２】
2007152275.tif 000004
【図３】
2007152275.tif 000005
【図４】
2007152275.tif 000006
【図５】
2007152275.tif 000007
【図６】
2007152275.tif 000008
【図７】
2007152275.tif 000009
【図８】
2007152275.tif 000010
【図９】
2007152275.tif 000011